(57)【要約】エアーフレッシュナーまたは他の活性剤（香料、殺虫剤、殺菌剤、薬剤）のための蒸散デバイスにおける、マメ科Aeschynomene L.属のクサネム植物の茎由来の植物材料から形成された１または２以上の移送部材（ウィック、エマネータ）を有するデバイス。Aeschynomene L.属のクサネム植物の茎由来の植物材料から形成された１または２以上の移送部材（ウィック、エマネータ）を有するデバイスを組み立てる方法および活性剤を含む液体を移送または蒸散するためのデバイスを使用する方法もまた提供される。ウィックまたはエマネータの形状で用いた場合の材料は、水性および非水性液体両方の優れた液体移送および活性剤混合物の低い分留を示す。【特許請求の範囲】
【請求項１】
揮発性液体をリザーバから空気中へ広める方法であって、液体を１つまたは２つ以上の移送部材によって移送および蒸散することを含み、１つまたは２つ以上の移送部材の少なくとも１つが、Aeschynomene L.属のクサネム植物の乾燥茎材料を含む、前記方法。
【請求項２】
１つまたは２つ以上の移送部材が、ウィック、エマネータおよびそれらの組み合わせからなる群から選択される、請求項１に記載の方法。
【請求項３】
１つまたは２つ以上の移送部材の少なくとも１つが、Aeschynomene afraspera、Aeschynomene americana、Aeschynomene aspera、Aeschynomene falcate、Aeschynomene indica、Aeschynomene villosaおよびそれらの組み合わせからなる群から選択されるクサネム植物の乾燥茎材料を含む、請求項２に記載の方法。
【請求項４】
揮発性液体が、香料、殺虫剤、殺菌剤、薬剤およびそれらの組み合わせからなる群から選択される１つまたは２つ以上の活性剤を含む、請求項１に記載の方法。
【請求項５】
揮発性液体の移送および蒸散のためのデバイス用ウィックであって、該ウィックが、Aeschynomene L.属のクサネム植物の乾燥茎材料を含む、前記ウィック。
【請求項６】
ウィックが、Aeschynomene afraspera、Aeschynomene americana、Aeschynomene aspera、Aeschynomene falcate、Aeschynomene indica、Aeschynomene villosaおよびそれらの組み合わせからなる群から選択されるクサネム植物の乾燥茎材料を含む、請求項５に記載のウィック。
【請求項７】
揮発性液体の移送および蒸散のためのデバイス用エマネータであって、該エマネータが、Aeschynomene L.属のクサネム植物の乾燥茎材料を含む、前記エマネータ。
【請求項８】
エマネータが、Aeschynomene afraspera、Aeschynomene americana、Aeschynomene aspera、Aeschynomene falcate、Aeschynomene indica、Aeschynomene villosaおよびそれらの組み合わせからなる群から選択されるクサネム植物の乾燥茎材料を含む、請求項７に記載のエマネータ。
【請求項９】
揮発性液体の移送および蒸散のためのデバイスであって、
揮発性液体のためのリザーバ、および
１つまたは２つ以上の移送部材、ここで、１つまたは２つ以上の移送部材の少なくとも１つが、Aeschynomene L.属のクサネム植物の乾燥茎材料を含む、
を含む、前記デバイス。
【請求項１０】
１つまたは２つ以上の移送部材が、ウィック、エマネータおよびそれらの組み合わせからなる群から選択される、請求項９に記載のデバイス。
【請求項１１】
１つまたは２つ以上の移送部材の少なくとも１つが、Aeschynomene afraspera、Aeschynomene americana、Aeschynomene aspera、Aeschynomene falcate、Aeschynomene indica、Aeschynomene villosaおよびそれらの組み合わせからなる群から選択されるクサネム植物の乾燥茎材料を含む、請求項１０に記載のデバイス。
【請求項１２】
リザーバが、香料、殺虫剤、殺菌剤、薬剤およびそれらの組み合わせからなる群から選択される１つまたは２つ以上の活性剤を含む液体が充填されている、請求項９に記載のデバイス。
【請求項１３】
使用時に組み立て可能な構成要素ａ）およびｂ）の組み合わせの形で提供される揮発性液体の移送および蒸散のためのデバイスであって、
ａ）揮発性液体が充填されているシールされたリザーバ、および
ｂ）１つまたは２つ以上の移送部材、ここで、ｂ）の１つまたは２つ以上の移送部材の少なくとも１つが、揮発性液体の移送のためのAeschynomene L.属のクサネム植物の乾燥茎材料を含む、
を含む、前記デバイス。
【請求項１４】
１つまたは２つ以上の移送部材が、ウィック、エマネータおよびそれらの組み合わせからなる群から選択される、請求項１３に記載のデバイス。
【請求項１５】
１つまたは２つ以上の移送部材が、手動圧によってリザーバのシールを打ち抜くように十分に尖った尖頭状構造を備えた少なくとも１つの端部を提供する、請求項１４に記載のデバイス。
【請求項１６】
尖頭状構造が、該尖頭状構造を提供するウィックの形の改変によって、または、該尖頭状構造を提供する第二の材料の付加によって、提供される、請求項１４に記載のデバイス。
【請求項１７】
リザーバが、香料、殺虫剤、殺菌剤、薬剤およびそれらの組み合わせからなる群から選択される１つまたは２つ以上の活性剤を含む液体が充填されている、請求項１４に記載のデバイス。
【請求項１８】
請求項９〜１２のいずれかに記載のデバイスの製造方法であって、１つまたは２つ以上の移送部材の少なくとも１つおよびリザーバを組み立て、デバイスを提供することを含む、前記製造方法。
【請求項１９】
請求項１３〜１７のいずれかに記載のデバイスの製造方法であって、リザーバおよび１つまたは２つ以上の移送部材の少なくとも１つを組み立て、最初の使用時にデバイスを製造する、前記製造方法。
【請求項２０】
揮発性液体の移送のためのデバイスにおける移送部材としての、Aeschynomene L.属のクサネム植物の乾燥茎材料の使用。
【請求項２１】
移送部材が、ウィックおよびエマネータからなる群から選択される、請求項２０の使用。
【発明の詳細な説明】
【技術分野】
【０００１】
茎材料から作られる移送部材およびそれらの、香料、殺虫剤、殺菌剤および薬剤などの活性剤を含む液体の移送および蒸散のための使用を提供する。
【背景技術】
【０００２】
一般的に用いられるウィック（wick）材料の例として、ボール紙（圧縮パルプ）または繊維の形のセルロース、多孔性プラスチック、とくにPOREX（登録商標）（Porex Technologies, Fairburn, US）またはMicropore Plastics（Royal Woods Parkway Tucker, GA, US）およびその他のものから作られるもの、グラファイトおよびセラミックが挙げられる。
消費者がしばしば好むので、産業界に天然材料を使用する傾向がある。いくつかの茎材料、とくに竹およびラタンは、ウィックとして機能することが知られている。
【０００３】
特定のウィック材料を介する液体の移送または蒸散速度は、有意な程度まで液体の性質に依存し、とくに水性および非水性液の間の差異において顕著である。与えられた液体におけるそれらのウィック材料のすべての吸収性の程度もまた可変である。したがって、異なるウィック材料は、移送が望まれる液体の性質に依存して、異なる適用のために選択される。
多孔性プラスチックおよびラタンなどの多くの一般的なウィック材料は、部分的に少なくとも香料成分の一部の遮断またはゆっくりした移送によって（例えば、分留および／または遮断によって）、限定された空隙率および移送または蒸散速度を有する。
【０００４】
長時間の分留によって、香料の特徴および／または強度が変化し、蒸散を遅くする。分留の発生を含む蒸留特性の点から、とくに問題となることは、流体に含まれる活性剤が、例えば、自然状態で結晶形態を生じる、高い分子量を有する、または、低い蒸気圧を有するなどである。
同様に、ウィックとの接触により受け取られる液体の効率的な移送および蒸散を提供するエマネータ（emanator）に対する必要性がある。
【０００５】
したがって、良好な吸収性を有し、有意な分留なしに良好な蒸散速度で、上記の活性剤を含む水性および非水性の液体の両方を効率的に移送することができる移送部材（ウィック、エマネータ）の材料に対する必要性が未だ存在する。
【発明の開示】
【０００６】
揮発性液体をリザーバから空気中へ広める方法であって、液体を、ウィックおよび／またはエマネータを含む１つまたは２つ以上の移送部材によって移送および蒸散することを含み、１つまたは２つ以上の移送部材の少なくとも１つが、Aeschynomene L.属のクサネム植物の乾燥茎材料を含む、前記方法。
揮発性液体の移送および蒸散のためのデバイス用ウィックであって、該ウィックが、Aeschynomene L.属のクサネム植物の乾燥茎材料を含む、前記ウィック。
【０００７】
揮発性液体の移送および蒸散のためのデバイス用エマネータであって、該エマネータが、Aeschynomene L.属のクサネム植物の乾燥茎材料を含む、前記エマネータ。
揮発性液体の移送および蒸散のためのデバイスであって、
揮発性液体のためのリザーバ、および
ウィックおよび／またはエマネータを含む１つまたは２つ以上の移送部材、ここで、１つまたは２つ以上の移送部材の少なくとも１つが、Aeschynomene L.属のクサネム植物の乾燥茎材料を含む、
を含む、前記デバイス。
【０００８】
本明細書に記載のデバイスの製造方法であって、
１つまたは２つ以上の移送部材の少なくとも１つおよびリザーバをデバイスへ組み立てる、前記製造方法。
使用時に組み立て可能な構成要素ａ）およびｂ）の組み合わせの形で提供される揮発性液体の移送および蒸散のためのデバイスであって、
ａ）揮発性液体が充填されているシールされたリザーバ、および
ｂ）ウィックおよび／またはエマネータを含む１つまたは２つ以上の移送部材、ここで、構成要素ｂ）の１つまたは２つ以上の移送部材の少なくとも１つが、揮発性液体の移送のためのAeschynomene L.属のクサネム植物の乾燥茎材料を含む、
を含む、前記デバイス。
【０００９】
上記のデバイスの製造方法であって、リザーバおよび１つまたは２つ以上の移送部材の少なくとも１つを組み立て、最初の使用時にデバイスを製造する、前記製造方法。
【００１０】
詳細な説明
出願人は、今や、驚くべきことに、有意な分留なしに良好な蒸散速度で、活性剤を含む水性および非水性の液体の両方を効率的に移送することができる所望の特性を有し、移送部材（ウィックまたはエマネータ）として使用した場合、優れた性能を示す茎材料を同定した。
移送部材は、空気中へ広めるべき揮発性液体を移送する。移送部材は、ウィックおよびエマネータを含む。
【００１１】
ウィックは、揮発性液体のリザーバから揮発性液体が空気中へ蒸散する表面へ、またはエマネータへ揮発性液体を移送する移送部材である。
エマネータは、揮発性液体をウィックから空気中へ蒸散によって移送する移送部材である。
【００１２】
ある具体的な態様、エアーフレッシュナーおよび殺虫剤デバイスに従えば、液体は、リザーバから空気へ、ウィックの表面または分離した拡散表面を備えた関連するエマネータからの蒸散によって移送される。ウィックおよび／またはエマネータは茎材料を含む。リザーバからエマネータ／空気への移送を達成するために用いられる多孔性部材は、一般的にウィックと呼ばれる。
揮発性液体をリザーバから空気中へ広めるために、ウィックは、ウィックの表面からの液体の蒸散によって、唯一の移送部材として用いることができる。
【００１３】
代替的に、ウィックは、エマネータと接触していてもよく、これによりウィックは、液体をリザーバからウィックを介してエマネータへ移送し、蒸散はエマネータのより大きな表面によって高められる。
さらに代替的に、ウィックは、エマネータが必要にならないように、液体の蒸散が可能な拡大した表面積を提供する形状に形成され得る。
【００１４】
ウィックおよび／またはエマネータを製造するのに有用な茎材料は、マメ科（Fabaceae）Aeschynomene L.属の植物から得られる。かかる属は、例えば、Aeschynomene afraspera (sola pith)、Aeschynomene americana (American joint-vetch、joint-vetchまたはpega pega)、Aeschynomene aspera (sola pith plant、sola)、Aeschynomene falcate (Australian joint-vetch)、Aeschynomene indica (curly indigo、hard sola、Indian joint-vetch、kat sola、northern joint-vetchまたはsensitive joint-vetch)およびAeschynomene villosaなど、しばしばジョイントベッチ（jointvetch）、ショラ（shola）またはクサネム（sola）と呼ばれる多くの種を含む。クサネム植物の茎材料は、とても重量が軽く、特徴的な中心の髄（central pith）を包含する。
【００１５】
本願を通して、前記植物は、「クサムネ」または「クサネム植物」という。クサネム植物は、通常、水田のような湿地帯で、世界中で生育しているのが見られ、しばしば雑草とされている。クサネム植物の茎は、通常、外皮を剥がれ、多くの装飾された家庭用品に用いられ、一般に装飾の形状に処理される。茎は、可変で不規則な横切断によって、２０〜５０ｍｍの平均径のロッドに、商業的に入手可能に（通常、手で）収穫される。
【００１６】
第一の面において、揮発性液体をリザーバから空気中へ広める方法が提供される。該方法は、１つまたは２つ以上の移送部材によって、液体を移送することおよび蒸散することを含む。移送部材は、ウィックおよびエマネータから選択されることができ、ここで、１つまたは２つ以上の移送部材の少なくとも１つは、Aeschynomene L.属のクサネム植物の乾燥茎材料を含む。ある態様において、移送部材は、ウィック、エマネータおよびそれらの組み合わせからなる群から選択される。
【００１７】
さらなる態様によれば、１つまたは２つ以上の移送部材の少なくとも１つが、Aeschynomene afraspera、Aeschynomene americana、Aeschynomene aspera、Aeschynomene falcate、Aeschynomene indica、Aeschynomene villosaおよびそれらの組み合わせからなる群から選択されるクサネム植物の乾燥茎材料を含む、本明細書に記載の方法を提供する。
さらにさらなる態様によれば、揮発性液体が、香料、殺虫剤、殺菌剤、薬剤およびそれらの組み合わせからなる群から選択される１つまたは２つ以上の活性剤を含む、本明細書に記載の方法を提供する。
【００１８】
他の態様において、揮発性液体の空気中への移送および蒸散のためのデバイス用ウィックを提供する。デバイス用のウィックは、Aeschynomene L.属のクサネム植物の乾燥茎材料を含む。
さらなる態様によれば、デバイス用のウィックは、Aeschynomene afraspera、Aeschynomene americana、Aeschynomene aspera、Aeschynomene falcate、Aeschynomene indica、Aeschynomene villosaおよびそれらの組み合わせからなる群から選択されるクサネム植物の乾燥茎材料を含む。
【００１９】
他の面において、揮発性液体の移送および蒸散のためのデバイス用エマネータを提供する。エマネータは、Aeschynomene L.属のクサネム植物の乾燥茎材料を含む。
さらなる態様によれば、エマネータは、Aeschynomene afraspera、Aeschynomene americana、Aeschynomene aspera、Aeschynomene falcate、Aeschynomene indica、Aeschynomene villosaおよびそれらの組み合わせからなる群から選択されるクサネム植物の乾燥茎材料を含む。
【００２０】
他の面において、揮発性液体の移送および蒸散のためのデバイスを提供する。揮発性液体の移送および蒸散のためのデバイスは、揮発性液体を含有するリザーバおよび、ウィックおよび／またはエマネータを含む１つまたは２つ以上の移送部材を含む。ウィックおよびエマネータ移送部材の一方または両方は、Aeschynomene L.属のクサネム植物の乾燥茎材料を含む。
ある態様によれば、揮発性液体の空気中への移送および蒸散のためのデバイスは、少なくとも１つの移送部材が、Aeschynomene afraspera、Aeschynomene americana、Aeschynomene aspera、Aeschynomene falcate、Aeschynomene indica、Aeschynomene villosaおよびそれらの組み合わせからなる群から選択されるクサネム植物の乾燥茎材料を含む。
【００２１】
他の態様によれば、本明細書に記載のデバイスは、デバイスのリザーバに１つまたは２つ以上の活性剤を含む液体が充てんされているデバイスである。デバイスのリザーバに充填された活性剤は、香料、殺虫剤、殺菌剤、薬剤およびそれらの組み合わせから選択され得る。
他の面において、１つまたは２つ以上の移送部材の少なくとも１つおよびリザーバを組み立て、デバイスを提供することを含む、本明細書に記載のデバイスの製造方法を提供する。
【００２２】
さらなる他の面において、使用時に組み立て可能な構成要素ａ）およびｂ）の組み合わせの形で提供される揮発性液体の移送および蒸散のためのデバイスを提供する。構成要素ａ）およびｂ）の組み合わせは、ａ）揮発性液体が充填されているシールされたリザーバ、およびｂ）ウィックおよびエマネータから選択される１つまたは２つ以上の移送部材を含む。１つまたは２つ以上の移送部材の少なくとも１つの構成要素ｂ）は、揮発性液体の移送のためのAeschynomene L.属のクサネム植物の乾燥茎材料を含む。
【００２３】
揮発性液体の移送および蒸散のためのデバイスのさらなる態様によれば、１つまたは２つ以上の移送部材の少なくとも１つの端部に、手動圧（manual pressure）によってリザーバのシールを打ち抜くように十分に尖った尖頭状構造（point-like structure)が提供される。
揮発性液体の移送および蒸散のためのデバイスのさらにさらなる態様によれば、１つまたは２つ以上の移送部材の尖頭状構造は、尖頭状構造を提供するウィックの形の改変によって、または、移送部材に尖頭状構造を提供するための第二の材料の付加によって、提供される。
【００２４】
揮発性液体の移送および蒸散のためのデバイスの一層のさらなる態様によれば、リザーバは、香料、殺虫剤、殺菌剤、薬剤およびそれらの組み合わせから選択される１つまたは２つ以上の活性剤を含む液体が充填されている。
他の面において、リザーバおよび１つまたは２つ以上の移送部材の少なくとも１つを組み立て、最初の使用時にデバイスを製造する、揮発性液体の移送および蒸散のためのデバイスの製造方法を提供する。
【００２５】
さらに他の面において、揮発性液体の移送のためのデバイスにおける移送部材としての、Aeschynomene L.属のクサネム植物の乾燥茎材料の使用を提供する。
さらなる態様によれば、移送部材が、ウィック、エマネータおよびそれらの組み合わせからなる群から選択される、本明細書に記載の使用を提供する。
【００２６】
限定なしに、ある具体的な態様において、揮発性液体が、香料、殺虫剤、殺菌剤、薬剤およびそれらの組み合わせから選択される１つまたは２つ以上の活性剤を含む、本明細書に記載のデバイスおよび方法を提供する。
クサネムの茎は、乾燥した無加工の形状で、ウィックとして用いられることができ、または、最初に磨いたり、削ったりすることができる。代替的に、それらは任意の簡便な手段によって、規則的な断面のロッドとなるように形作ることができる。かかる手段は、例えば、ルーティング（routing）、のこぎりでの切断、平削り、切断、木摺りまたは型での形成などを含む。規則的な断面は、円形、楕円形、正方形、長方形または多角形などの任意の所望の形状によってなし得る。
【００２７】
したがって、クサネム植物の茎材料は、容易にウィックに好適な適切なサイズおよび形状を形成することができる。例えば、直径２〜２０ｍｍ（＋／−０．２５〜１．０ｍｍ）および長さ２〜６０ｃｍ、例えば、２〜１５ｃｍまたは３〜１０ｃｍであるクサネムのウィックは、揮発性液体の空気中への移送および蒸散のためのデバイスにおける移送部材として用いることができる。
これらの方法によって、規則的かつ均一な断面のロッドとなる。かかるロッドは、無加工の茎から形成され得るか、または均一化された断面を有し、所望の長さおよび直径となっているものを商業的に購入し得る。
【００２８】
クサネムの茎は、移送すべき液体を含むリザーバに挿入することができるように長さおよび直径を選択し得る。茎は、直接または穴に適合する液密のインサートを介して、好適な穴を通してリザーバに入れ得る。かかるインサートは、例えば、ポリプロピレン、ポリエチレンなどを含む溶媒抵抗性プラスチックなどの、液体によって影響されない任意の好適な材料であり得る。インサートはウィックの直径よりもわずかに小さな穴を有し得、ウィックは、ウィックのわずかな圧縮によって性能が害されないように、ぴったり嵌って挿入される。代替的に、インサートは、２部材またはボトルへの挿入の前にウィックのまわりを切り取るヒンジで連結したユニットに形成することが可能である。
【００２９】
ウィックは、それ自体、液体のエマネータとして作用し得るもので、また、発散表面（emanating surface）と関連することができ、これにより、リザーバからこの発散表面への液体の移送媒体として作用する。発散表面は、好適な材料で作られた任意の好適な表面であってよい。例えば、茎の表面と接触し、伸張する液体移送における吸着表面（absorbent surface）であってもよい。かかる吸着表面は、例えば、ボール紙などの自立するものでも、または、例えば、プラスチック表面に支持される繊維材料などの支持されるものでもよい。WO 2004/082726に記載のタイプのキャピラリーシートであってもよい。
【００３０】
選択的に、本明細書に記載のウィックに対し、デバイスは、本明細書に記載のクサネム植物の茎材料から形成されたエマネータを含み得る。エマネータは、任意の形状に形成され得る。当業者に明白であろうとおり、形状は、蒸散を助長するために大きな表面積を有する。例えば、バラ形状の構造に形成するようにアレンジされたクサネムの茎の花弁形状のチップを含む種々の花様形状が好適であり、機能的であるとともに審美的に感じのよいエマネータを提供する。
エマネータは、本明細書に記載のウィックとともに用いることができ、例えば、当該技術分野でよく知られた多孔性材料で作られたウィックなどの従来のウィックを用い得る。
【００３１】
一例として、ウィック表面から液体を蒸散する付加的なエマネータの構造のない棒形状のウィックが挙げられる。代替的に、液体は、例えば、花の形状のエマネータによって蒸散され得る。他の例として、自身がバラの形状であり、底部が液体に曝され、液体を構造を介して構造の頂部の花びら形状の蒸散表面へ移送する、高さよりも幅がある「ポンド型（pond-type）」のリザーバに浮かべ得るウィックが挙げられる。
【００３２】
エマネータは、本明細書に記載のクサネム植物の茎の材料を含む発散表面を提供する。この発散表面は、多数の単一部材から構築されることができ、花の先または他の装飾的構造に似せるように形成され得る。該部材は、同一、類似または異なる形状のものであってよい。部材は、エマネータを形成する任意の適切な様式で、例えば、機械的および化学的貼り付け（affixing）手段を含む適切な貼り付け手段によって、互いに貼り付けることができる。例えば、それらはともに（例えば、糸、紐、ワイヤーまたはテープによって）結合または結ばれ、接着剤によってともに接着され、ともにホッチキス留めされ、またはピンまたは他の貼り付け手段を用いて貼り付けられ得る。のりまたは接着剤を用いた場合、ウィックおよびエマネータの間の液体の移送を損なうことがないように注意すべきである。代替的に、多数の単一部材（single elements）は、他の単一部材をともに保持するクサネム材料から形成された共通部材に挿入され得る。さらに代替的に、単一部材は、互いにまたはウィックへ、選択的に付加的な貼り付け手段を用いて、挿入／差し込み得る。例えば、ウィックの上端およびエマネータの低い部分は、互いに適合し、その際に、ウィックおよびエマネータを親密な接触となす結合片と適合し得る。
【００３３】
前記エマネータの最下部は、液体に曝され、液体の移送ができるようにウィックの部分（通常は上方）と接触できるデバイスのように配置される。理想的には、直接的にウィックと接触していないエマネータの任意の部材は、部材間の液体の移送が可能なようにウィックと接触している部材と直接接触すべきである。貼り付け手段は、液体の移送の妨げを避けるように配置されるべきである。エマネータは、液体のリザーバから伸びるウィックの頂端に置くことができる。エマネータは、重力によって位置を維持し続けるか、例えば、エマネータに含まれる単一部材の貼り付けのための本明細書に記載されたものなどの任意の好適な手段によって、ウィックおよび／またはリザーバに締め付けられ得る。当業者は、潜在的に液体の移送を妨げ得る貼り付け手段を用いる場合、例えば、ウィックおよびエマネータの例えば外側の部分などのある部分に締め付け得るコネクターなどの貼り付け手段によって、内側の部分などの他の部分から出すように液体の輸送を自由にすることに注意を払わなければならない。
【００３４】
エマネータは、開いているか、閉じているか、部分的に閉じている保護支持体、カバーまたはケージの中に含まれ得る。保護支持体、カバーまたはケージは、エマネータを見ることができるが触ることができないよう、消費者の液体への接触を避けるために、例えば、メッシュ、網状または透明な材料で形成されてもよい。保護支持体、カバーまたはケージは、任意の好適な手段によって添付することができる。リザーバに置かれた場合、十分に重いケージは重力によって適所に保持される。代替的に、種々の貼り付け手段、例えば、液体のリザーバへのねじ機構またはクリップ機構、または本明細書に記載の任意の貼り付け手段を、当業者に明らかであるように用いることができ
【００３５】
本明細書に記載のようなクサネム植物の茎の移送部材（ウィックおよびエマネータ）は、揮発性液体の移送および蒸散のための種々のタイプのよく知られたデバイスに容易に用いることができる。これらのデバイスは、典型的には、揮発性液体を貯蔵するのに適合したリザーバおよび揮発性液体の移送のための多孔性部材（ウィック）、および選択的にエマネータを含む。ウィックは、蒸散表面を介して揮発物を空気中へ直接的に提供し得る。代替的に、蒸散は、付加的な手段によって、例えば、ウィックに接触する付加的な蒸散表面によって、揮発性液体が付加的な表面（例えば、WO 2005/044321およびWO 01/23008に記載の多孔性および／またはキャピラリー材料のシートまたはスクリーン、または本明細書に記載のようなクサネム植物材料から形成されたエマネータ）から蒸散すべく移送するように支援され得る。付加的または代替的に、ファンまたは熱によって発生させることができる気流を、蒸散を速めるために適用し得る。
【００３６】
リザーバおよびウィックは、シールを用いることにより、および／または、ウィックがリザーバが離れる場所でリザーバと密接にフィットすることを提供することによって、耐流出（spillage-proof）となり得る。例えば、WO03092750およびWO0123008に記載のような、ウィックの少なくとも一部を取り巻くスリーブがあってもよい。スリーブは、リザーバの開口および選択的に、液密を提供し、リザーバの開口を流出に対抗してシールする付加的なシール手段にフィットしており、デバイスを揺らしたり、ひっくり返したときに、ウィックからの流出を妨げたり、少なくしたりする。スリーブは、揮発性液体に不浸透性の材料で作られ、ウィックの少なくとも１部を取り囲むが、液体移送および／または蒸散のために頂部および底部は自由のままである。
【００３７】
リザーバの開口内にウィックの完全なシールをした場合、リザーバの圧口（pressure vent）は、デバイスが作動している場合、圧を平衡に保つために必要としてもよい。
移送部材（ウィックおよび／またはエマネータ）は、液体のリザーバ、例えば、シールされ、または流出に対するキャップが提供され得る充填されたリザーバ、または、カートリッジまたは液体を含む詰め替え品（refill）を受けるために適合された、液体のないリザーバに、あらかじめ挿入されていてもよい。
【００３８】
代替的に、移送部材（ウィックおよび／またはエマネータ）は、ウィックおよび／またはエマネータが最初の使用時に消費者によってリザーバへ挿入されることの指図をともなって、揮発性液体を備えた、閉じられた（シールされたまたはキャップされた）リザーバとの組み合わせで提供される。例えば、液体のリザーバは、ウィックおよび／またはエマネータが挿入される、破くことのできるシールとともに提供され得る。より簡単にシールを破くために、ウィックには、尖頭を形成するよう適合させた一端が提供され得る。これは、任意の簡便な方法（例えば、のこぎりで切る、切断する、継ぐ、薄く削る、紙やすりで磨くなど）によって、尖頭を形成するようにウィック材料を取り除くことによって、または、クサネム植物の茎材料または、例えば、プラスチックや金属などの他の材料で作った尖った末端をウィックおよび／またはエマネータに提供することによって、達成し得る。キャップは、ウィックおよび／またはエマネータを被覆し、使用していない場合に蒸散を止めるために提供され得る。
【００３９】
以下に、デバイスおよび方法をさらに示すのに役立つ一連の限定するものでない例を示す。具体例は、いかなる様にもデバイスおよび方法を制限するように解釈すべきではない。
【００４０】
例
例１―種々のウィック材料の液体吸収性
種々のウィック材料について、水、エタノールおよび香料オイルの吸収性を比較した。
テストしたウィック材料は、クサネム（茎材料）、ラタン（茎材料）、繊維状セルロース（植物由来材料）、セルロースカードおよび多孔性プラスチックである。クサネムおよびラタンは、Pierce Arnold（Wallington, UK）より商業的に入手可能である。セルロース繊維ウィックは、Filtrona（Milton Keynes, UK）より商業的に入手可能である。セルロースカードは、Warren Package（Henley-on-Thames, UK）からの５００ｇｓｍビールマットボード（beermat board）である。多孔性プラスチックは、７０〜１２０ミクロンＨＤＰＥ（ＰＯＲＥＸ（登録商標）、Porex Technologie GmbH, Singwitz, Germany）である。
【００４１】
香料オイルとして、次のグリコールエーテル溶媒をベースとした非水性香料オイル混合物を用いた：
【表１】
2009528096.tif 000002
【００４２】
ある量の乾燥した吸収材料について、重さを計り、テスト液体に１分間浸し、液体から取り出し、１分間ドリップさせ、次いで、再び重さを計った。測定した質量から、液体を含むウィック材料の質量を、乾燥したウィック材料の質量で割って吸収性を計算し、乾燥したウィック材料のグラム数あたりの液体のグラム数を示した。
【００４３】
結果を以下の表１に示す。
【表２】
2009528096.tif 000003
【００４４】
上記の表１にみられるように、全３つのテストした液体に関して、クサネムの吸収性が、他のテストした全てのウィック材料よりも有意に高かった。
ラタンは、全ての液体の全体的に最も劣った吸収性を有していたが、水に関してわずかに優先的であった。多孔性プラスチックもまた、低い吸収性を示したが、非水性液体に関して優先的であった。セルロース材料は、ラタンや多孔性プラスチックよりもわずかに高い吸収性を示した。カードセルロース材料は、パルプから形成され、水吸収性の傾向が見られた一方、繊維の形状のセルロースは、オイル／非水性液体の吸収性の傾向が見られた。
【００４５】
例２
種々のウィック材料の香料オイルの蒸散／液体移送
種々のウィック材料からの香料オイルの蒸散速度を、以下のように、１２日後の質量損失によって示すように決定した。
各ウィック材料に対し、およそ２５ｍｍに等しい外周を備えた円柱切片を香料オイルを含むリザーバに挿入し、ラボラトリーフィルムを用いてリザーバボトルのネックの周囲をシールした。各材料の長さ（４０ｍｍ）をシーラントフィルム上に曝したままとした。各ウィック材料のテストを２回準備し、そのうちの１回は、重さを計り、次いで周囲室内条件のままとし、他方は、重さを計り、次いで、１．５Ｖ  ＤＣモータを搭載した小さな羽根車の直接持続的気流においた。多孔性プラスチック材料は、３０ミクロンの平均空隙率を備えたPOREX(登録商標)HDPE成型プラスチックである。
【００４６】
１２日後、総重量損失をグラムで測定した。表２に結果を示す。
【表３】
2009528096.tif 000004
【００４７】
クサネム材料は、空気中およびファン付き条件の双方において、全てのテストした材料の中で最高の性能を示した。クサネム材料に次ぐ、ラタンおよび多孔性プラスチックは、大幅に少ない香料オイルしか蒸散できなかった。繊維形状のセルロースは、ラタンや多孔性プラスチックよりもよい性能を示した。
【００４８】
例３
種々のウィック材料における香料オイルの分留
例２のウィック材料およびUS 4,913,350に記載の外部キャピラリーを備えたウィックの香料分留の特性を比較した。
香料の多成分テスト組成物を以下に挙げる。該テスト組成物は、分留または類似の作用を起こすことなしにウィックから蒸散するのが困難（例えば、その結晶形状、高分子量または蒸気圧によって）である当該分野で知られている選択された成分を含む。
【００４９】
【表４】
2009528096.tif 000005
【００５０】
５グラムの香料をリザーバに置いた。ウィックを液体と接触するようにリザーバへ置き、該システムは、リザーバをシールするために曝したウィックの周りをアルミホイルを適用することによってシールし、ウィックの頂端を空気中に曝したままにした。テストは、室温で２０日間インキュベートした。次いで、この期間の終わりに、曝したウィックの頂端０．５インチまたは１．２５ｃｍを切り取り、香料成分を塩化メチレンで抽出した。
【００５１】
リザーバに残った香料およびウィックからの塩化メチレン抽出物のサンプルをＧＣ／ＭＳで分析した。これにより、各香料成分を、他の香料成分との関係において同定し、定量し、香料成分（揮発性溶媒を除く）のパーセント変化を、分留された香料組成物のパーセントを決定するために、次のとおり計算した：
１００（Ｆｏ−Ｆｗ）／Ｆｏ＝％分留、式中、Ｆｏは、リザーバの液体における香料成分（ｇ）を示し、Ｆｗは、ウィックにおける香料成分（ｇ）を示す。％分留は、各香料成分個別に計算し、次いで、全ての香料成分の分留の平均を決定した。
【００５２】
分留が起こらない場合、ＦｗはＦｏに等しく、分留は上記の式にしたがい０％となる。したがって、０％の分留は、ウィックおよびリザーバの香料成分の割合が同一であることを意味し、ウィックの香料成分の割合がリザーバのそれと比べて変化していないことを意味する。分留のパーセンテージが高くなればなるほど、香料組成物の割合により大きい変化が生じている。
【００５３】
以下の結果が得られた：
【表５】
2009528096.tif 000006
【００５４】
極めて低い分留によって、クサネムのウィックが、天然および人工の双方の他のテストした全てのウィック材料と比較して、とくに分留を避けるために設計されたウィック構造（外部キャピラリー）と比較してさえも、優れた性能を有することが示された。
【００５５】
移送部材（ウィックおよびエマネータ）、移送部材を組み込んだデバイスおよび方法は、ある具体的な態様で上に記載されているが、他の同様の態様が用いられ得ること、および改変および付加が同じ機能を実行するために記載された態様になされ得ることは理解されるべきである。さらに、種々の態様が所望の特性を提供するために組合され得るので、開示された全ての態様は必ずしも選択的であるわけではない。変法は、開示の精神および範囲から外れずに、当業者がなすことができる。したがって、移送部材、デバイスおよび方法は、任意の単一の態様に限定されるべきものではなく、添付の特許請求の範囲の記載にしたがった幅と範囲で解釈される。
【国際調査報告】
2009528096.tif 000007
2009528096.tif 000008
2009528096.tif 000009